(57)【要約】  【課題】  本発明は上記の点に鑑み、速やかに設置できて作業者の安全を確保できる法面用仮設階段の補助手摺を提供する。  【解決手段】  補助手摺８は下端部を尖頭状に形成した手摺柱１１の上部に手摺枠１０を取り付ける。補助手摺８を支持する補助手摺支持具９は、法面Ａ上縁の角部Ｄを跨ぐように湾曲形成させ、その両端部に角度調整自在にベース板１７ａ、１７ｂを配設すると共に、ベース板１７ａには手摺柱挿入孔１９を穿設する一方、仮設階段１の上端部を係止させる係止材１６を取り付ける。補助手摺を設置する時には、補助手摺支持具９を法面Ａ上縁の角部Ｄを跨がせてベース板１７ａ、１７ｂを接地し、ベース板１７ａの手摺柱挿入孔１９に補助手摺８の手摺柱１１を挿入しながら地中に打ち込んで立設すると共に、補助手摺支持具９を固定させる。次に、補助手摺支持具９の係止材１６にの仮設階段１のクランプ２ａを係止させ、仮設階段１を設置する。【選択図】  図２
2006118315.tif 000002
【特許請求の範囲】
【請求項１】
工事現場などの法面に沿って設置した仮設階段の最上部の降り位置に設置する補助手摺であって、地中へ打ち込めるように下端部を尖頭状に形成した手摺柱の上部に手摺枠を取り付けた補助手摺を備えると共に、法面上縁の角部を跨ぐように湾曲形成させてその両端部に角度調整自在にベース板を配設した補助手摺支持具を備え、該補助手摺支持具の一方側のベース板には前記補助手摺の手摺柱を挿入して立設支持する手摺柱挿入孔を穿設する一方、補助手摺支持具には仮設階段の上部側クランプを係止させる係止材を取り付けたことを特徴とする法面用仮設階段の補助手摺。
【請求項２】
前記手摺枠は枠幅サイズの異なる一対の枠体を対向配置して形成し、仮設階段の傾斜角度に応じて手摺枠を回転させて任意側の枠体を仮設階段側に配置するようにしたことを特徴とする請求項１記載の法面用仮設階段の補助手摺。
【発明の詳細な説明】
【技術分野】
【０００１】
本発明は、工事現場などの法面に沿って設置される法面用仮設階段において、階段の最上部の降り位置に設置する補助手摺に関する。
【背景技術】
【０００２】
従来より、山などを切り開くといった法面での作業を伴う工事現場において、法面の段差を作業者が効率良く昇降可能なように仮設階段が設置される。このような仮設階段としては、例えば特許文献１のようなものがある。図７は、この特許文献１の仮設階段を説明する図であって、平行に配置した一対のパイプ桟１０１の間に、角度調整可能に所定間隔にて踏み板１０２を取り付けて階段本体と成し、この階段本体の両側のパイプ桟１０１に安全柵として手摺フレーム１０３を立設して成る法面用階段を工事現場の法面に沿って設置するようにしている。
【特許文献１】実用新案登録３０３４３９０号公報
【発明の開示】
【発明が解決しようとする課題】
【０００３】
しかしながら、上記法面用階段では、階段昇降時の作業者の安全は階段左右に立設した手摺フレーム１０３にて確保されているものの、作業者が階段を登りきって法面の上位側の平坦部に降り立つ際には周囲に手摺が無く、高所ということも手伝って作業者によっては多少不安感を憶える場合もあると予想される。特に階段の勾配がきつくなればそれに伴って手摺フレーム１０３も立ち上がり、手摺フレーム１０３前端部と法面の上位側の平坦部との隙間間隔が拡がるため、そのような場合には作業者の不安感はより一層強まることになる。一方、このような隙間部分に鋼管製の手摺材やチェーンなどを架け渡し、その両端部を固定具などでそれぞれ固定するなどして補助用の手摺を設置するといったことも行われることもあるが、その設置作業も面倒である。
【０００４】
本発明は上記の点に鑑み、速やかに設置できて作業者の安全を確保できる法面用仮設階段の補助手摺を提供することを課題とする。
【課題を解決するための手段】
【０００５】
本発明は上記の課題を解決するために、請求項１記載の法面用仮設階段の補助手摺にあっては、工事現場などの法面に沿って設置した仮設階段の最上部の降り位置に設置する補助手摺であって、地中へ打ち込めるように下端部を尖頭状に形成した手摺柱の上部に手摺枠を取り付けた補助手摺を備えると共に、法面上縁の角部を跨ぐように湾曲形成させてその両端部に角度調整自在にベース板を配設した補助手摺支持具を備え、該補助手摺支持具の一方側のベース板には前記補助手摺の手摺柱を挿入して立設支持する手摺柱挿入孔を穿設する一方、補助手摺支持具には仮設階段の上部側クランプを係止させる係止材を取り付けたことを特徴としている。
【０００６】
また、請求項２記載の法面用仮設階段の補助手摺にあっては、前記手摺枠は枠幅サイズの異なる一対の枠体を対向配置して形成し、仮設階段の傾斜角度に応じて手摺枠を回転させて任意側の枠体を仮設階段側に配置するようにしたことを特徴としている。
【発明の効果】
【０００７】
以上のように本発明に係る請求項１記載の法面用仮設階段の補助手摺によれば、地中へ打ち込めるように下端部を尖頭状に形成した手摺柱の上部に手摺枠を取り付けた補助手摺を備えると共に、法面上縁の角部を跨ぐように湾曲形成させてその両端部に角度調整自在にベース板を配設した補助手摺支持具を備え、該補助手摺支持具の一方側のベース板には前記補助手摺の手摺柱を挿入して立設支持する手摺柱挿入孔を穿設する一方、補助手摺支持具には仮設階段の上部側クランプを係止させる係止材を取り付けたので、補助手摺を支持する補助手摺支持具によって仮設階段の上端部も支持でき、部品点数も少なくてシンプルな構造のために速やかに設置作業を行うことができ、仮設階段最上部の乗り降りの安全を良好に確保できる。
【０００８】
また、請求項２記載の法面用仮設階段の補助手摺によれば、前記手摺枠は枠幅サイズの異なる一対の枠体を対向配置して形成し、仮設階段の傾斜角度に応じて手摺枠を回転させて任意側の枠体を仮設階段側に配置するようにしたので、仮設階段の傾斜角度が急となって仮設階段の手摺と補助手摺との距離が遠くなるようであれば、枠幅サイズの大きい方の枠体を仮設階段側となるように回転させて配置すれば補助手摺の手摺枠が仮設階段側に接近し、仮設階段の乗り降りをより安全とすることができる。
【発明を実施するための最良の形態】
【０００９】
本発明に係る請求項１記載の法面用仮設階段の補助手摺にあっては、補助手摺は地中へ打ち込めるように下端部を尖頭状に形成した手摺柱の上部に手摺枠を取り付けた構造とする。そして、補助手摺を支持する補助手摺支持具は、法面上縁の角部を跨ぐように湾曲形成させてその両端部に角度調整自在にベース板を配設し、該補助手摺支持具の一方側のベース板には補助手摺の手摺柱を挿入して立設支持する手摺柱挿入孔を穿設する。また、補助手摺支持具には仮設階段の上部側クランプを係止させる係止材を取り付ける。
【００１０】
そして、前記補助手摺を設置するときには、先ず、湾曲形成させた補助手摺支持具を法面上縁の角部を跨ぐようにして両端部の角度調整自在としたベース板をそれぞれ法面、及び平坦部に沿わせて据え付ける。次に、片方のベース板に穿設した手摺柱挿入孔に補助手摺の手摺柱を挿入しながら地中へと打ち込んで補助手摺を立設支持させると共に補助手摺支持具を固定し、補助手摺の設置を完了する。そして、この補助手摺支持具の係止材に仮設階段の上部側クランプを係止させ、仮設階段を法面に沿って傾斜支持させて仮設階段の設置を完了する。
【００１１】
このように、法面用仮設階段を設置する工程の途中で補助手摺も設置されるようにしており、補助手摺を支持する補助手摺支持具によって仮設階段の上端部も支持でき、部品点数も少なくてシンプルな構造のために速やかに設置作業を行うことができる。
【００１２】
また、請求項２記載の法面用仮設階段の補助手摺にあっては、手摺枠は枠幅サイズの異なる一対の枠体を対向配置して形成する。そして、例えば、仮設階段の勾配が緩い場合には、仮設階段の手摺と補助手摺とは近接するため、補助手摺の手摺枠は仮設階段の手摺と干渉しないように枠幅サイズの小さい枠体側を仮設階段側に向けた状態にて位置させて固定する。一方、仮設階段の勾配がきつい場合には、仮設階段の手摺と補助手摺とは大きく離反してしまうため、補助手摺の枠幅サイズの大きい枠体を仮設階段側に向けた状態にて位置させて固定し、仮設階段の手摺と補助手摺の手摺枠との隙間が極力小さくなるようにする。
【００１３】
このように、補助手摺に枠幅サイズの異なる枠体を備えることによって、法面用仮設階段の傾斜角度によって生じる仮設階段の手摺と補助手摺との隙間を極力小さくすることができ、仮設階段の乗り降りをより安全とすることができる。
【実施例】
【００１４】
以下、本発明の実施例を図面に基づいて説明する。
【００１５】
図中の１は工事現場などの法面Ａに沿って設置される法面用仮設階段であって、その下端部を法面Ａの下位側の平坦部Ｂ上へ、上端部を法面Ａの上位側の平坦部Ｃ上へそれぞれ固定して設置している。
【００１６】
前記仮設階段１は、両端に係止用クランプ２ａ、２ｂを固着した一対の平行な傾斜支柱３間に、複数の踏み板４の前端両側部を回動自在に軸着し、前記踏み板４の後端両側部を前記傾斜支柱３に平行に配設した一対のリンク材５に回動自在に軸着して折り畳み可能とすると共に、踏み板４を傾斜支柱３に対して任意の角度位置で固定する角度固定材６を備え、傾斜支柱３の側面部には手摺７を立設させて成るものである。なお、本実施例においては法面用仮設階段として上記構成のものを採用したが、何らこれに限定するものではなく、その他様々な構成のものを採用することができる。
【００１７】
８は仮設階段１の最上部の乗り降り位置に配設された補助手摺であって、該補助手摺８を立設支持する補助手摺支持具９を備えている。
【００１８】
補助手摺８は、手摺枠１０と、該手摺枠１０を支持する手摺柱１１とから成っており、前記手摺枠１０は、図に示すように、縦管１２の両側部にそれぞれサイズの異なる略半円形状の枠体１３ａ、１３ｂを対向させて取り付けている一方、前記縦管１２の下端部を開口させ、かつボルト・ナットなどの締緩具１４を備えている。なお、枠体１３ａ、１３ｂは略半円形状に限らず、例えば、四角形状のものなど様々な形状のものを採用することができる。
【００１９】
前記手摺柱１１は、その下端部を地中にスムーズに打ち込めるように尖頭状に形成した棒状体であり、この手摺柱１１の上端部を前記手摺枠１０の縦管１２下端部の開口に挿入して手摺枠１０を回動自在に支持すると共に、任意の向きに向けた手摺枠１０を締緩具１４にて固定するようにしている。
【００２０】
また、補助手摺支持具９は、図４に示すように、約１４０〜１５０度の略円弧形状に湾曲した一対の平行な脚体１５を係止材１６にて連結して枠状に形成している。また、前記脚体１５の両端部にはそれぞれ据え付け用のベース板１７ａ、１７ｂを角度調整自在に軸着し、各ベース板１７ａ、１７ｂを法面Ａ、平坦部Ｃに沿わせて据え付けられるようになっている。１８は後方側のベース板１７ｂ同士を連結する連結材であって、補助手摺支持具９の強度アップを図っている。
【００２１】
補助手摺支持具９の片方のベース板１７ａには、手摺柱１１よりも若干径の大きい手摺柱挿入孔１９を穿設しており、該手摺柱挿入孔１９へ手摺柱１１の下端部を挿入して適当に打ち込むことで補助手摺８を支持すると共に、補助手摺支持具９も強固に固定する。
【００２２】
しかして、上記補助手摺８を設置する場合には、先ず、補助手摺支持具９を法面Ａ上縁の角部Ｄを跨がし、各ベース板１７ａ、１７ｂをそれぞれ法面Ａ、平坦部Ｃに沿わして据え付ける。次に、一対のベース板１７ａのそれぞれの手摺柱挿入孔１９に補助手摺８の手摺柱１１の下端部を挿入してから手摺柱１１を地中へと打ち込んで自立させ、補助手摺８を立設支持させると共に、補助手摺支持具９を強固に固定して補助手摺８の設置を完了する。
【００２３】
そして、前記補助手摺支持具９の係止材１６に仮設階段１の上部側クランプ２ａを係止させ、仮設階段１を法面Ａに沿わせて傾斜支持させる。そして、この仮設階段１の傾斜角度に応じて補助手摺８の手摺枠１０を回動調整させる。例えば、図５に示すように、仮設階段１の勾配が比較的急な場合には、手摺７が手摺枠１０と離れるため、枠幅サイズの大きい枠体１３ａを仮設階段１側に向けて締緩結具１４にて固定する。また、図６に示すように、仮設階段１の勾配が比較的緩い場合には、手摺７が手摺枠１０と近接するため、互いに干渉しないように枠幅サイズの小さい枠体１３ｂを仮設階段１側に向けて締緩具１４で固定する。なお、図６は、仮設階段１の各踏み板４を傾斜支柱３と平行に折り畳んで平坦とし、台車などの通行を可能とした状態を示すものであって、仮設階段１の最上部と平坦部Ｃ間には足場板２０を架け渡して台車などの乗り継ぎが便利なようにしている。
【００２４】
このように、上記補助手摺８にあっては、法面用仮設階段１を設置する工程の途中で補助手摺８も設置されるようにしており、補助手摺８を支持する補助手摺支持具９によって仮設階段１の上端部も支持でき、また部品点数も少なくてシンプルな構造のために速やかに設置作業を行うことができると共に、仮設階段の乗り降りの安全を良好に確保できる。また、仮設階段１の傾斜角度によって仮設階段１の手摺７と補助手摺８との隙間も変化するが、補助手摺８に枠幅サイズの異なる枠体１３ａ、１３ｂを備えて設階段１の手摺７と補助手摺８との隙間を極力小さくできるようにすることによって仮設階段の乗り降りをより安全なものとできる。
【図面の簡単な説明】
【００２５】
【図１】本発明に係る法面用仮設階段の補助手摺を法面上縁に設置した状態を示す説明図である。
【図２】図１の要部拡大図である。
【図３】補助手摺の、（ａ）手摺柱に手摺枠を取り付ける前の状態を示す正面図、（ｂ）手摺柱に手摺枠を取り付けた状態を示す正面図である。
【図４】補助手摺支持具の、（ａ）正面図、（ｂ）平面図、（ｃ）側面図である。
【図５】法面の勾配が急な場合の図１に相当する図である。
【図６】法面の勾配が緩い場合の図１に相当する図である。
【図７】従来の法面用仮設階段を説明する図である。
【符号の説明】
【００２６】
１…仮設階段                  ２ａ、２ｂ…クランプ
７…手摺                      ８…補助手摺
９…手摺枠                    １０…枠体
１１…手摺柱                  １２…縦管
１３ａ、１３ｂ…枠体          １５…脚体
１６…係止材                  １７ａ、１７ｂ…ベース板
１９…手摺柱挿入孔
Ａ…法面                      Ｂ…平坦部（下位側）
Ｃ…平坦部（上位側）          Ｄ…角部
【図１】
2006118315.tif 000003
【図２】
2006118315.tif 000004
【図３】
2006118315.tif 000005
【図４】
2006118315.tif 000006
【図５】
2006118315.tif 000007
【図６】
2006118315.tif 000008
【図７】
2006118315.tif 000009